(57)【要約】　　　（修正有）【課題】容易に金庫を取り出すことができなく、種々の金庫に対応でき、セキュリティ機器を付設することにより、より効果的に盗難を防止することができる。【解決手段】金庫の外周を保持する補強ＢＯＸ金庫用補強ＢＯＸであって、左右に２分割された補強本体の下部に、床等に固定するための固定部を設けると共に、補強本体を連結するボルトを設けてなる。【選択図】　図１
0003097151.tif 000002
【実用新案登録請求の範囲】
【請求項１】
金庫の外周を保持する金庫用補強ＢＯＸであって、左右に２分割された補強本体の下部に、床等に固定するための固定部を設けると共に、補強本体を連結するボルトを設けてなることを特徴とする金庫用補強ＢＯＸである。
【請求項２】
ボルトを上下に少なくとも２本設けてなることを特徴とする請求項１記載の金庫用補強ＢＯＸ。
【請求項３】
扉を設けてなることを特徴とする請求項１又は２記載の金庫用補強ＢＯＸ。
【請求項４】
セキュリティ機器を付設してなることを特徴とする請求項１、２又は３記載の金庫用補強ＢＯＸ。
【請求項５】
補強本体に案内部を設けてなることを特徴とする請求項１、２、３又は４記載の金庫用補強ＢＯＸ。
【請求項６】
金庫の少なくとも外周２面を密着して保持してなることを特徴とする請求項１、２、３、４又は５記載の金庫用補強ＢＯＸ。
【考案の詳細な説明】
【０００１】
【考案の属する技術分野】
この考案は、金庫を容易に持ち去ることのできない金庫用補強ＢＯＸに関するものである。
【０００２】
【従来の技術】
従来の技術としては、特開平９−１８４３６３号公報記載のような、錠付きの扉で本体の開口部を塞いで成る主金庫と、この主金庫内に挿脱自在な内金庫と、同じく前記主金庫内に挿脱自在な内キャビネットとから成り、前記主金庫における本体の左右内側面に、棚板支持用のブラケットを係止するための溝穴を上下適宜間隔で多数穿設すると共に、主金庫における本体の内側面のうち内金庫の外側面と対向する適宜部位に係合穴又は上下方向に延びる係合溝を設ける一方、前記内金庫を、前向きに開口した本体と、該本体の開口部を塞ぐ錠付きの扉とで構成して、該内金庫における本体の側壁に、当該内金庫の内部からの操作によって前記主金庫における本体の係合穴又は係合溝に挿脱させ得るストッパーを設け、更に、前記内キャビネットを、前向きに開口しキャビネット本体と、該キャビネット本体内に前後動自在に装架した抽斗とで構成して、前記キャビネット本体に、前記主金庫における本体の溝穴に係合させた金具をビス止め等にて着脱自在に固定したこと、を特徴とする二重式金庫が開示されている。
【０００３】
しかしながら上記のような形態では、専用の内金庫や専用のキャビネットを使用しなければならず、一般に販売されている金庫やキャビネットを入れて使用することができない。
また、主金庫内に内金庫やキャビネットを固定するものとしてブラケットやストッパー、ビス止め等、組み立て作業に手間が掛り、必然的にコスト高となる。
【０００４】
【考案が解決しようとする課題】
この考案は、上記の問題点に鑑みなされたもので、一般に販売されている金庫等を補強本体にて強固に保持し、床面に固定することにより、容易に金庫を持ち去ることができない。
また、補強本体を左右にスライドさせることにより、金庫の大きさに関係なく密着して保持することができ、種々の金庫に対応できる。
さらに、セキュリティ機器を付設することにより、より効果的に盗難を防止することができる金庫用補強ＢＯＸを提供するものである。
【０００５】
【課題を解決するための手段】
上記課題を解決するための手段として、金庫の外周を保持する補強ＢＯＸ金庫用補強ＢＯＸであって、左右に２分割された補強本体の下部に、床等に固定するための固定部を設けると共に、補強本体を連結するボルトを設けてなること。また、ボルトを上下に少なくとも２本設けてなること。扉を設けてなること。さらに、セキュリティ機器を付設してなること。補強本体に案内部を設けてなること。その上、金庫の少なくとも外周２面を密着して保持してなることを特徴とする。
【０００６】
【考案の実施の形態】
以下、この考案の金庫用補強ＢＯＸについて図面に基づいて説明する。
１は、金庫用補強ＢＯＸである。
２は、左右に２つに分割された鉄板等をコの字形に形成してなる補強本体で、一方の下部に床等に固定するための孔による固定部２ａを設ける（２箇所）と共に、側部に後述するボルトを螺入するためのナット部２ｂを上部２箇所、下部２箇所突設してなり、他方に該ナット部２ｂに対応する通孔２ｃを設ける（４箇所）ものである。
３は、上記ナット部２ｂに螺合するボルト（４本）で、上記通孔２ｃより挿入し、補強本体２・２を連結するものである。
【０００７】
つぎに、上記金庫用補強ＢＯＸ１の使用例について下記に述べる。
まず、一方（左側）の補強本体２を床Ｕに固定すべく、固定部２ａよりアンカーボルトＡＢを挿入し螺合して固定する。
つづいて、右側方より補強本体２内に金庫Ｋを入れ込む。
なお、この時金庫Ｋの脚部Ｋ１はナット部２ｂの外側に位置するよう設置する。
つぎに、他方（右側）の補強本体２を右側方より押し込む。
その後、各通孔２ｃよりボルト３を挿入し、ナット部２ｂ１に螺合して補強本体２・２を連結固定する。
この状態でボルト３の頭部を溶接等にて全周固定するのが望ましい。
【０００８】
上記のように取り付けられた金庫Ｋを前方からあるいは後方から盗もうとしても取り出すことができないものである。
【０００９】
つづいて、他の実施例を説明する。
金庫用補強ＢＯＸ２１は、上記補強本体と同様な一方（左側）の補強本体２２の上部と下部の先端部にへの字形に形成した案内部２２ｄを形設してなり、他方（右側）の補強本体２２の上部と下部の先端部２２ｅを案内部２２ｄ内に挿入し、補強本体２２・２２を左右に移動させて使用することができるものである。
【００１０】
つまり、金庫用補強ＢＯＸ２１内に金庫（図示せず）を入れ、補強本体２２・２２を左右に移動させ、金庫の両側面に密着させ、ボルト（図示せず）で連結固定するもので、隙間なく取り付けできるため、一層盗難防止効果を有するものである。
【００１１】
金庫用補強ＢＯＸ３１は、補強本体３２・３２の上面中央にセキュリティ機器４を設けてなるもので、例えば補強本体３２・３２を無理矢理開こうとしても振動センサー（図示せず）にて警告音を発生させると共に、モデム（図示せず）等にて外部へ異常を知らせるものである。
【００１２】
なお、上記各実施例において、補強本体の大きさや材質等は必要に応じて設定すればよく、必要に応じて扉を設けてもよく、背面にカバー等を設けてもよい。また、固定部における孔においても、２箇所に限定せず、３箇所でも４箇所でもよい。
さらに、ボルトも４本のみならず、必要に応じて増やせばよく、固定方法においても強固に固定できるのであれば他の方法でもよい。
さらにまた、セキュリティ機器において、金庫自体に各種センサーを取り付けたり、カメラ等を設置したり、特に限定することはない。
【００１３】
【考案の効果】
１）、２分割にした補強本体により、金庫を側方より内部に入れ込むことができるため、作業しやすく、確実に装着することができる。
２）、ボルトにて２つの補強本体を連結固定することにより、前面からも後面か　　らも引き出して取り出すことができず、防犯効果が高い。
３）、固定部により床等に確実にアンカーを打つことができ、容易に破壊することはできない。
４）、案内部を設けることにより、金庫の大きさに関係なく幅広く使用できる。
５）、金庫を密着して保持できるため、特に側面よりバール等を入れようとしても隙間がなく、入り込めない。
６）、扉や背面カバーを設けることにより一層防犯効果を高めることができる。
７）、セキュリティ機器を付設することにより、より安全・安心して使用できる
ものである。
【図面の簡単な説明】
【図１】この考案の第１実施例を示す金庫用補強ＢＯＸの斜視図。
【図２】この考案の第１実施例を示す金庫用補強ＢＯＸの使用状態の正面図。
【図３】この考案の第２実施例を示す金庫用補強ＢＯＸの正面図。
【図４】この考案の第３実施例を示す金庫用補強ＢＯＸの正面図。
【符号の説明】
１−−−金庫用補強ＢＯＸ
２−−−補強本体
２ａ−−固定部
２ｂ−−ナット部
２ｃ−−通孔
３−−−ボルト
４−−−セキュリティ機器
Ｋ−−−金庫
Ｕ−−−床
ＡＢ−−アンカーボルト
【図１】
0003097151.tif 000003
【図２】
0003097151.tif 000004
【図３】
0003097151.tif 000005
【図４】
0003097151.tif 000006